(57)【要約】【課題】運転を停止し使用する場所を変更した場合にでも変更した方向に送風することができることを目的とする。【解決手段】送風部２を首振り運転させる首振り装置であるステッピングモータ３と送風部２の送風方向を検出する首振り位置検出装置４と室内の温度を検出する温度測定部１２とを備えた本体と、室内の温度変化によって運転停止時に前記本体の正面方向に送風部２の送風方向を首振り動作させ、次の運転開始時には前回の送風部２の送風方向に首振り動作させることで、室内の温度の変化による本体１の運転の一時停止における本体１の故障の勘違いを防止することができる扇風機を得られる。【選択図】図２
2018172978.tif 000002
【特許請求の範囲】
【請求項１】
本体に、送風部と、
前記送風部を首振り運転させる首振り装置と、
前記送風部の送風方向を検出する首振り位置検出装置と、
室内温度を検出する温度測定装置と、
室内温度によって前記送風部、前記首振り装置を制御する制御部とを備え、
前記制御部は、
室内温度が所定値以下になると、そのときの首振り方向を前回首振り方向として記憶し、前記送風部の首振り方向を前記本体の正面に向けて停止させ、
運転開始時には、記憶した前記前回首振り方向で運転を開始する扇風機。
【請求項２】
前記制御部は、運転開始時には、そのときの首振り方向と記憶した前記前回首振り方向とを比較し、その差が所定の値以下のときは、そのときの首振り方向を前記前回首振り方向として記憶し直すことを特徴とする請求項１に記載の扇風機。
【発明の詳細な説明】
【技術分野】
【０００１】
本発明は、首振り装置を備えた扇風機に関するものである。
【背景技術】
【０００２】
従来、この種の扇風機は、室内の温度により扇風機の運転を停止したり再開したりするものが知られている（例えば、特許文献１参照）。
【先行技術文献】
【特許文献】
【０００３】
【特許文献１】特開平５−２８０４９０号公報
【発明の概要】
【発明が解決しようとする課題】
【０００４】
このような従来の扇風機においては、室内の温度の変化による運転の一時停止のときは、扇風機の正面の位置に関係なく送風部が停止してしまうため、故障と勘違いされるという課題を有していた。
【０００５】
そこで本発明は、上記従来の課題を解決するものであり、室内の温度の変化による運転の一時停止における故障の勘違いを防止することができる扇風機を提供することを目的とする。
【課題を解決するための手段】
【０００６】
そして、この目的を達成するために、本発明に係る扇風機は、
本体に、送風部と、
前記送風部を首振り運転させる首振り装置と、
前記送風部の送風方向を検出する首振り位置検出装置と、
室内温度を検出する温度測定装置と、
室内温度によって前記送風部、前記首振り装置を制御する制御部とを備え、
前記制御部は、
室内温度が所定値以下になると、そのときの首振り方向を前回首振り方向として記憶し、前記送風部の首振り方向を前記本体の正面に向けて停止させ、
運転開始時には、記憶した前記前回首振り方向で運転を開始するものであり、これにより所期の目的を達成するものである。
【発明の効果】
【０００７】
本発明によれば、本体に、送風部と、前記送風部を首振り運転させる首振り装置と、前記送風部の送風方向を検出する首振り位置検出装置と、室内温度を検出する温度測定装置と、室内温度によって前記送風部、前記首振り装置を制御する制御部とを備え、
前記制御部は、室内温度が所定値以下になると、そのときの首振り方向を前回首振り方向として記憶し、前記送風部の首振り方向を前記本体の正面に向けて運転停止させ、運転開始時には、記憶した前記前回首振り方向で運転を開始するという構成にしたことにより、室内の温度の変化による運転の一時停止における故障の勘違いを防止することができる、という効果を得ることができる。
【図面の簡単な説明】
【０００８】
【図１】本発明の実施の形態１の扇風機を示す外観図
【図２】同扇風機のブロック回路図を示す図
【図３】同扇風機の使用例を示す動作を示す図
【図４】従来の扇風機を示す外観図
【発明を実施するための形態】
【０００９】
本発明に係る扇風機は、本体に、送風部と、前記送風部を首振り運転させる首振り装置と、前記送風部の送風方向を検出する首振り位置検出装置と、室内温度を検出する温度測定装置と、室内温度によって前記送風部、前記首振り装置を制御する制御部とを備え、
前記制御部は、室内温度が所定値以下になると、そのときの首振り方向を前回首振り方向として記憶し、前記送風部の首振り方向を前記本体の正面に向けて運転停止させ、運転開始時には、記憶した前記前回首振り方向で運転を開始するという構成を有する。これにより、室内の温度変化によって運転停止時に本体の正面方向に送風部の送風方向を首振り動作させ、次の運転開始時には前回の前記送風部の送風方向に首振り動作させる、こととなるので、室内の温度の変化による運転の一時停止における故障の勘違いを防止することができる、という効果を奏する。
【００１０】
また、前記制御部は、運転開始時には、そのときの首振り方向と記憶した前記前回首振り方向とを比較し、その差が所定の値以下のときは、そのときの首振り方向を前記前回首振り方向として記憶し直すという構成にしてもよい。これにより、運転中の送風部の送風方向を本体の正面方向に動かして本体の正面方向と送風部を正面に設定させた送風方向との間の角度を測定し、所定の設定角度以下の時は前回の首振り位置をリセットさせる、こととなるので、送風部の不要な動作を防止することができる、という効果を奏する。
【００１１】
以下、本発明の実施の形態について図面を参照しながら説明する。
（実施の形態１）
図１〜３に示すように、本体１は、送風部２と基台５とを備えている。
【００１２】
送風部２は、首振り装置であるステッピングモータ３と本体１の正面と送風部２との間の角度を測定する首振り位置検出装置４とを備えている。送風部２は、ステッピングモータ３を駆動することによって、送風する方向を変える動作、すなわち、首振り動作を行う。本実施の形態において、送風部２が送風する方向を「首振り方向」として定義する。
【００１３】
基台５は、操作部６と室内の温度を測定する温度測定部１２とを備えている。
【００１４】
温度測定部１２は、制御部７と離れた場所に設けると良い。制御部７と温度測定部１２との距離を大きく確保すると、温度測定部１２は、制御部７を構成している基板からの発熱の影響を受けにくく、室内の温度を的確に測定することができる。
【００１５】
基台５の内部に配置された制御部７は、運転設定部８と、運転開始時送風位置決定部９と、首振り制御部１０とステッピングモータ制御部１１を有している。
【００１６】
運転設定部８は、操作部６からの運転操作を受けて、風量、首振り動作などの運転状態を決定する。運転開始時送風位置決定部９は、運転設定部８からの運転開始信号と首振り位置検出装置４からの首振り位置情報を受けて前回位置復帰の実施を決定する。また、運転開始時送風位置決定部９は、前回停止操作をしたときの首振り方向を「前回首振り方向Ｄｐ」として記憶するようになっている。首振り制御部１０は、各入力により首振り状態を決定する。ステッピングモータ制御部１１は、首振り制御部１０からの首振り状態を受けてステッピングモータ３を駆動する。
【００１７】
なお、前回首振り方向の初期値は、本体１の正面方向である。
【００１８】
そして、操作部６からの運転開始を受けると、まず、首振り位置検出装置４によって、そのときの首振り方向Ｄｎを検出する。運転開始時送風位置決定部９は、そのときの首振り方向Ｄｎが本体１の正面方向か否かを判定する。そのときの首振り方向Ｄｎが、本体１の正面方向と同じであれば、記憶していた前回首振り方向Ｄｐと所定の値Ｄｘとを比較する。前回首振り方向Ｄｐが所定値Ｄｘより大きければ、運転開始時送風位置決定部９は、運転開始時の首振り方向として、前回首振り方向Ｄｐを出力する。前回首振り方向Ｄｐが所定値Ｄｘより小さければ、運転開始時送風位置決定部９は、前回首振り方向Ｄｐに初期値を記憶させるとともに、運転開始時の首振り方向として、本体１の正面方向を出力する。所定値Ｄｘとしては、１０°程度の角度を設定し、運転開始時に微小角の復帰動作をしないようにする。
【００１９】
温度測定部１２は、検出した室内の温度Ｔと、複数の設定値とを比較し、送風部２、首振り制御部１０の制御を行う。例えば、室内の温度Ｔが設定値Ｔｓ１よりも下回ったとき、送風部２を停止させる。同時に首振り動作も停止させる。また、例えば、室内の温度Ｔが設定値Ｔｓ２よりも下回り、設定値Ｔｓ１よりも上回ったとき、送風部２の風量をノッチ１（微風）とするような制御を行う。なお、首振り動作は、運転継続する限り、そのまま継続する。
【００２０】
室内の温度Ｔが設定値Ｔｓ１よりも下回り、送風部２を停止させるときには、まず、そのときの首振り方向Ｄｎを前回首振り方向Ｄｐとして記憶させる。そして、首振り方向を本体１の正面方向に向けて停止させる。
【００２１】
つまり、運転設定部８は、操作部６からの運転操作（運転開始）信号を受け運転を開始する。また、首振り制御部１０は操作部６からの首振り操作（首振り開始）信号を受けステッピングモータ制御部１１に駆動信号を出力する。ステッピングモータ制御部１１は、前記駆動信号を受けステッピングモータ３を駆動し、送風部２の首振り動作を行う。
【００２２】
首振り動作を行っているとき、使用者が希望する送風方向で、操作部６の首振り停止操作を実施すると、首振り制御部１０からの駆動停止信号を受けたステッピングモータ制御部１１がステッピングモータ３を停止し、使用者が希望する送風方向での運転となる。
【００２３】
温度測定部１２は、室内温度Ｔが設定値Ｔｓ１を下回ったとき、運転停止させる情報を首振り制御部１０へ送信する。首振り制御部１０は、温度測定部１２の停止要求を受けて、まず、そのときの首振り方向Ｄｎを運転開始時送風位置決定部９に前回首振り方向Ｄｐとして記憶させる。次に、首振り方向が本体１の正面方向となるように、ステッピングモータ制御部１１に駆動信号を出力しステッピングモータ３を駆動する。首振り制御部１０は、首振り位置検出装置４から得た首振り方向が本体１の正面方向と一致したとき、ステッピングモータ制御部１１に駆動信号停止を送出し、ステッピングモータ３を停止する。
【００２４】
次に、運転開始する場合について説明する。
【００２５】
運転設定部８からの運転開始を受けた運転開始時送風位置決定部９は、首振り位置検出装置４の出力により、そのときの首振り方向Ｄｎを確認する。そのときの首振り方向Ｄｎが本体１の正面であるときには、前回位置復帰指示、すなわち、首振り方向を前回首振り方向Ｄｐとするように、首振り制御部１０へ出力する。ステッピングモータ制御部１１は首振り制御部１０からの出力（前回首振り方向Ｄｐ）となるようにステッピングモータ３の制御を行う。
【００２６】
一方、そのときの首振り方向Ｄｎが本体１の正面でないときには、首振り方向をそのときの首振り方向Ｄｎとして運転を開始する。
【００２７】
このような構成にすることにより、室内の温度の変化による運転の一時停止における故障の勘違いを防止することができる、という効果を得ることができる。
【００２８】
ところで、運転開始時に、前回位置復帰指示をするとき、前回首振り方向Ｄｐと所定値Ｄｘとの比較を行い、微小角度の前回位置復帰を避ける制御を行っても良い。
【００２９】
すなわち、前回首振り方向Ｄｐが所定値Ｄｘよりも大きいとき、すなわち、前回首振り方向Ｄｐと本体１の正面との角度が大きいときには、そのまま前回位置復帰動作を行う。
【００３０】
一方、前回首振り方向Ｄｐが所定値Ｄｘよりも小さいとき、すなわち、前回首振り方向Ｄｐと本体１の正面との角度が小さいときには、前回位置復帰動作を行わないようにする。そして、前回首振り方向Ｄｐを初期値（本体１の正面方向）にリセットする。
【００３１】
例えば、使用者が本体１の正面方向になるように設定した首振り方向が、本体１の正面方向から僅かに誤差があった場合に、運転停止時には、誤差分だけ多少首振り動作する。そして、運転開始時に前回運転時の送風方向に復帰するため多少首振り動作を繰り返すこととなり、運転開始と停止時に首振りすることなく円滑に動作するはずが、毎回多少首振り動作するといったわずらわしい動作となる。
【００３２】
このため、運転開始時送風位置決定部９は、首振り位置情報に加えて、前回停止時の動作角度（前回首振り方向Ｄｐと所定値との比較）も加えて前回位置復帰を実施するかどうかを決定する構成とする。
【００３３】
これにより、使用者が本体の正面方向に送風部２の送風方向を設定したが、設定した送風方向と本体１の正面方向に多少誤差がある場合（前回首振り方向Ｄｐが小さいとき）に、運転開始時送風位置決定部９は、首振り位置検出装置４からの首振り位置情報が本体の正面であっても、前回位置復帰は実施しない。そして、前回首振り方向Ｄｐをリセットし、初期値とする。
【００３４】
このため、使用者が本体１の正面方向に送風部２の送風方向を設定するときに、設定した送風方向と本体の正面方向に多少誤差がある場合でも、運転停止で本体の正面に首振り動作した後は、運転開始や停止による首振り動作は実施されず、送風部２の不要な動作を防止することができる。
【産業上の利用可能性】
【００３５】
本発明に係る扇風機は、所定の温度を下回って運転を停止した場合にでも停止中はデザイン性が良い本体正面に送風部を向けることができる扇風機として有用である。
【符号の説明】
【００３６】
１    本体
２    送風部
３    ステッピングモータ
４    首振り位置検出装置
５    基台
６    操作部
７    制御部
８    運転設定部
９    運転開始時送風位置決定部
１０  首振り制御部
１１  ステッピングモータ制御部
【図１】
2018172978.tif 000003
【図２】
2018172978.tif 000004
【図３】
2018172978.tif 000005
【図４】
2018172978.tif 000006